(57)【特許請求の範囲】
【請求項１】
複合映像信号が一端に入力される結合コンデンサと、前記結合コンデンサの他端に入力端が接続された垂直同期信号処理用の第１のローパスフィルタと、前記結合コンデンサの他端に入力端が接続された水平同期信号処理用の第２のローパスフィルタと、前記第１のローパスフィルタの出力端に現れる電圧を第１のスライスレベルでスライスすることにより垂直同期信号処理用の第１の同期信号を出力するクランプ回路と、前記第２のローパスフィルタの出力端に現れる電圧を第２のスライスレベルでスライスすることにより水平同期信号処理用の第２の同期信号を出力する電圧比較回路とを備えた同期信号分離回路。
【請求項２】
クランプ回路は、第１のローパスフィルタの出力端にエミッタが接続されベースに所定のクランプ電圧が加えられる第１のトランジスタと、前記第１のトランジスタのコレクタに接続された第１の抵抗と、前記第１のトランジスタのエミッタに接続された第１の電流源とからなり、前記第１のトランジスタのコレクタより垂直同期信号処理用の同期信号を取り出すようにし、
電圧比較回路は、第２のローパスフィルタの出力端にベースが接続された第２のトランジスタと、前記第２のトランジスタのエミッタにエミッタが接続され参照電圧がベースに加えられる第３のトランジスタと、前記第３のトランジスタのコレクタに接続された第２の抵抗と、前記第２および第３のトランジスタのエミッタに接続された第２の電流源とからなり、前記第３のトランジスタのコレクタより水平同期信号処理用の同期信号を取り出すようにしたことを特徴とする請求項１記載の同期信号分離回路。
【請求項３】
第３のトランジスタのベースに第３の抵抗を介して参照電圧を加えるようにし、かつ前記第３のトランジスタのベースに電流値可変の制御電流発生回路を接続し、前記第３の抵抗に流す電流を調整することにより前記第３のトランジスタのベースに加えられる電圧を変化させるようにした請求項２記載の同期信号分離回路。
【請求項４】
複合映像信号が容量結合された状態で加えられる複合映像信号入力ピンと、前記複合映像信号入力ピンに入力端が接続された垂直同期信号処理用の第１のローパスフィルタと、前記複合映像信号入力ピンに入力端が接続された水平同期信号処理用の第２のローパスフィルタと、前記第１のローパスフィルタの出力端に現れる電圧を第１のスライスレベルでスライスすることにより垂直同期信号処理用の第１の同期信号を出力するクランプ回路と、前記第２のローパスフィルタの出力端に現れる電圧を第２のスライスレベルでスライスすることにより水平同期信号処理用の第２の同期信号を出力する電圧比較回路とを備えた同期信号分離用集積回路。
【請求項５】
クランプ回路は、第１のローパスフィルタの出力端にエミッタが接続されベースに所定の電圧が加えられる第１のトランジスタと、前記第１のトランジスタのコレクタに接続された第１の抵抗と、前記第１のトランジスタのエミッタに接続された第１の電流源とからなり、前記第１のトランジスタのコレクタより垂直同期信号処理用の同期信号を取り出すようにし、
電圧比較回路は、第２のローパスフィルタの出力端にベースが接続された第２のトランジスタと、前記第２のトランジスタのエミッタにエミッタが接続され参照電圧がベースに加えられる第３のトランジスタと、前記第３のトランジスタのコレクタに接続された第２の抵抗と、前記第２および第３のトランジスタのエミッタに接続された第２の電流源とからなり、前記第３のトランジスタのコレクタより水平同期信号処理用の同期信号を取り出すようにしたことを特徴とする請求項４記載の同期信号分離用集積回路。
【請求項６】
第３のトランジスタのベースに第３の抵抗を介して参照電圧を加えるようにし、かつ前記第３のトランジスタのベースに電流値可変の制御電流発生回路を接続し、前記第３の抵抗に流す電流を調整することにより前記第３のトランジスタのベースに加えられる電圧を変化させるようにした請求項５記載の同期信号分離用集積回路。
【発明の詳細な説明】
【０００１】
【発明の属する技術分野】
本発明は、テレビジョン受像機において、水平・垂直の同期信号を複合映像信号から分離する同期信号分離回路に関するものである。
【０００２】
【従来の技術】
図４は従来の同期信号分離回路の構成を示す回路図、図５は図４の各部の信号波形図である。図５において、記号（ａ）〜（ｃ）の各信号は、図４上の記号（ａ）〜（ｃ）を付した部分の信号について、横軸を時間にとり縦軸を電圧をとって示している。ただし、図４における（ｂ’），（ｃ’）は、それぞれ（ｂ），（ｃ）とほぼ同じような波形のため、図示を省略する。なお、（ｂ）および（ｂ’）についてはトランジスタのエミッタ電位そのものではなく、複合映像信号をスライスする実質的なスライスレベルを示している。その詳細について後述する。
【０００３】
この同期信号分離回路は、図４に示すように、複合映像信号入力端子１にＮＰＮトランジスタ（以下、単にトランジスタと記す）２のベースが接続され、トランジスタ２のコレクタに電源電圧ＶＣＣ１が印加され、トランジスタ２のエミッタが電流源３を介して接地されている。上記のトランジスタ２および電流源３はエミッタフォロワ回路を構成している。
【０００４】
トランジスタ２のエミッタは、結合コンデンサ４を介して、同期信号分離用集積回路ＩＣ３の第１の複合映像信号入力ピン５に接続されるとともに、水平同期信号処理用のローパスフィルタＬＰＦ３および結合コンデンサ２５を介して、同期信号分離用集積回路ＩＣ３の第２の複合映像信号入力ピン２６に接続されている。水平同期信号処理用のローパスフィルタＬＰＦ３は、同期信号分離用集積回路ＩＣ３に外付けされる抵抗２３およびコンデンサ２４で構成されている。ここで、複合映像信号入力ピン５，２６は、同期信号分離用集積回路ＩＣ３においてパッケージのピンと定義される。
【０００５】
同期信号分離用集積回路ＩＣ３は、第１の複合映像信号入力ピン５が垂直同期信号処理用のローパスフィルタＬＰＦ１を介してクランプ回路ＣＲ１に接続され、第２の複合映像信号入力ピン２６が直接クランプ回路ＣＲ２に接続されている。
【０００６】
垂直同期信号処理用のローパスフィルタＬＰＦ１は同期信号分離用集積回路ＩＣ３に内蔵された抵抗６およびコンデンサ８で構成されている。
【０００７】
クランプ回路ＣＲ１は、クランプ用のトランジスタ１５のコレクタに抵抗１４を介して電源電圧ＶＣＣ２が印加され、ベースがクランプ電圧入力端子２０に接続され、エミッタが電流源１６を介して接地され、トランジスタ１５のエミッタにローパスフィルタＬＰＦ１の出力端が接続され、トランジスタ１５のコレクタに垂直同期信号処理用の同期信号出力端子１９が接続されている。
【０００８】
クランプ回路ＣＲ２は、クランプ用のトランジスタ２７のコレクタに抵抗２９を介して電源電圧ＶＣＣ２が印加され、ベースがクランプ電圧入力端子３０に接続され、エミッタが電流源２８を介して接地され、トランジスタ２７のエミッタに第２の複合映像信号入力ピン２６が接続され、トランジスタ２７のコレクタに水平同期信号処理用の同期信号出力端子１８が接続されている。
【０００９】
以上のような構成の同期信号分離回路の動作を図５を参照しながら以下に説明する。
【００１０】
図４において、複合映像信号入力端子１から複合映像信号が入力されると、この複合映像信号は、トランジスタ２を経た後、一方は結合コンデンサ４を経て複合映像信号入力ピン５に送られ、他方はローパスフィルタＬＰＦ３および結合コンデンサ２５を経て、複合映像信号入力ピン２６へ送られる。
【００１１】
さらに、複合映像信号は、複合映像信号入力ピン５からは、ローパスフィルタＬＰＦ１を経てクランプ回路ＣＲ１へ送られ、複合映像信号入力ピン２６からは直接クランプ回路ＣＲ２へ送られる。
【００１２】
クランプ回路ＣＲ１，ＣＲ２は、複合映像信号入力ピン５，２６に現れる複合映像信号（図５（ａ））における同期の尖頭値をトランジスタ１５，２７のエミッタ電位にクランプする機能を有しており、クランプ動作に伴う複合映像信号のスライス動作によって垂直同期信号処理用および水平同期信号処理用の同期信号をそれぞれ出力する。
【００１３】
クランプ回路ＣＲ１，ＣＲ２におけるスライスレベルＶｓ１，Ｖｓ２は、実質的に複合映像信号の同期の尖頭値を基準にして、それより所定電圧だけ高い電圧になる。すなわち、スライスレベルＶｓ１は、複合映像信号入力ピン５に現れる複合映像信号の同期の尖頭値の電位に比べて、ローパスフィルタＬＰＦ１の抵抗６に電流源１６の電流が流れることによる電圧降下分だけ高い値となる。同様に、スライスレベルＶｓ２は、複合映像信号入力ピン２６に現れる複合映像信号の同期の尖頭値の電位に比べて、ローパスフィルタＬＰＦ３の抵抗２３に電流源２８の電流が流れることによる電圧降下分だけ高い値となる。なお、電流源１６，２８の電流は十分に小さく設定されているので、結合コンデンサ４，２５の映像信号期間中の放電はごく少ないので、ここでは映像信号期間中の結合コンデンサ４，２５の電圧変化分（サグ）は無視して考えている。
【００１４】
ここで、クランプ回路ＣＲ１の動作について詳しく説明する。クランプ電圧入力端子２０より所定のクランプ電圧が印加されることにより、このクランプ電圧よりトランジスタ１５のベース・エミッタ間電圧ＶＢＥだけ低い電圧がトランジスタ１５のエミッタ電圧となる。
【００１５】
複合映像信号入力端子１に正極性の複合映像信号を加えると、複合映像信号が正から負になる同期の部分でトランジスタ１５のエミッタに逆バイアスが加わらなくなるので、トランジスタ１５はオンになり、トランジスタ１５のコレクタ電圧は抵抗１４により下がると同時に、結合コンデンサ４を流れる電流Δｉ４によって結合コンデンサ４が瞬時に同期の尖頭値まで充電される。その結果、複合映像信号入力ピン５に加わる複合映像信号の同期の部分の尖頭値がトランジスタ１５のエミッタ電位にクランプされることになる。
【００１６】
逆に、複合映像信号が負から正になる同期の部分ではトランジスタ１５に逆バイアスが加わるようになるので、トランジスタ１５はオフになり、トランジスタ１５のコレクタ電圧は、電源電圧ＶＣＣ２にほぼ等しい電圧値になる。トランジスタ１５がオフの状態では、電流源１６の電流ｉ１６が結合コンデンサ４およびローパスフィルタＬＰＦ１の抵抗６を通して流れることになるが、その電流値はごく小さいため、結合コンデンサ４の放電はごく少なく、サグはほとんど生じない。
【００１７】
なお、電流ｉ１６が流れることによって、抵抗６には電圧降下が生じるので、複合映像信号入力ピン５に加わる複合映像信号のスライスレベルは、複合映像信号を基準にすると、同期の尖頭値よりも抵抗６の電圧降下分だけ高い電圧となる。
【００１８】
したがって、出力端子１９に現れる出力波形は図５の（ｃ）に示すようになり、複合映像信号から同期信号が分離されることになる。
【００１９】
クランプ回路ＣＲ２の動作もクランプ回路ＣＲ１と同様である。すなわち、クランプ電圧入力端子３０より所定のクランプ電圧が印加されることにより、このクランプ電圧よりトランジスタ２７のベース・エミッタ間電圧ＶＢＥだけ低い電圧がトランジスタ２７のエミッタ電圧となる。
【００２０】
複合映像信号入力端子１に正極性の複合映像信号を加えると、複合映像信号が正から負になる同期の部分でトランジスタ２７のエミッタに逆バイアスが加わらなくなるので、トランジスタ２７はオンになり、トランジスタ２７のコレクタ電圧は抵抗２９により下がると同時に、結合コンデンサ２５を流れる電流Δｉ２５によって結合コンデンサ２５が瞬時に同期の尖頭値まで充電される。その結果、複合映像信号入力ピン２６に加わる複合映像信号の同期の部分の尖頭値がトランジスタ１５のエミッタ電位にクランプされることになる。
【００２１】
逆に、複合映像信号が負から正になる同期の部分ではトランジスタ２７に逆バイアスが加わるようになるので、トランジスタ２７はオフになり、トランジスタ２７のコレクタ電圧は、電源電圧ＶＣＣ２にほぼ等しい電圧値になる。トランジスタ２７がオフの状態では、電流源２８の電流ｉ２８がローパスフィルタＬＰＦ３の抵抗２３および結合コンデンサ２５を通して流れることになるが、その電流値はごく小さいため、結合コンデンサ２５の放電はごく少なく、サグはほとんど生じない。
【００２２】
なお、電流ｉ２８が流れることによって、抵抗２３には電圧降下が生じるので、複合映像信号入力ピン２６に加わる複合映像信号のスライスレベルは、複合映像信号を基準にすると、同期の尖頭値よりも抵抗２３の電圧降下分だけ高い電圧となる。
【００２３】
したがって、出力端子１８に現れる出力波形は図５の（ｃ）に示したのと同じようになり、複合映像信号から同期信号が分離されることになる。
【００２４】
水平同期信号処理と垂直同期信号処理とにそれぞれ用いる同期信号を複合映像信号から分離するには、ノイズ除去特性ならびに同期性能を出すために、水平同期信号処理と垂直同期信号処理とで別個にカットオフ周波数の違うローパスフィルタＬＰＦ１，ＬＰＦ３を設ける必要がある。すなわち、ローパスフィルタＬＰＦ１，ＬＰＦ３を水平同期信号処理と垂直同期信号処理とにそれぞれ対応して各々適切な値に設定する必要がある。
【００２５】
ここで、参考に従来の同期性能を満足するＬＰＦの定数の一例を示すと、以下のようになる。
【００２６】
水平同期信号用のローパスフィルタＬＰＦ３のカットオフ周波数
…約２７０ｋＨｚ（Ｒ＝１．５ｋΩ，Ｃ＝３９０ｐＦ）
垂直同期信号用のローパスフィルタＬＰ１のカットオフ周波数
…約８８５ｋＨｚ（Ｒ＝３．０ｋΩ，Ｃ＝６０ｐＦ）
また、同期分離のスライスレベルＶｓ２，Ｖｓ１は、抵抗２３，６と結合コンデンサ２５，４の放電電流ｉ２８，ｉ１６で決まる。この放電電流ｉ２８，ｉ１６は波形ひずみの一種であるサグの特性を決めるものであり、その特性を合わせて適切な値に設定されている。また、スライスレベルＶｓ２，Ｖｓ１についても、同期の尖頭値に対して所定値だけ高い値ということでほぼ決まっていて、任意に設定することができないので、その値によって抵抗２３，６の抵抗値も必然的に決まる。
【００２７】
このように、電流ｉ２８，ｉ１６および抵抗２３，６の値に制限がある場合において、上記参考に記載したように、水平ならびに垂直の同期の特性を満足するようにそれぞれのローパスフィルタＬＰＦ３，ＬＰＦ１のカットオフ周波数が決まってくる以上、ローパスフィルタＬＰＦ３，ＬＰＦ１を構成するコンデンサ２４とコンデンサ８の大きさも決まってくる。
【００２８】
垂直同期信号用のローパスフィルタＬＰＦ１を構成するコンデンサ８は比較的容量値が小さいので、抵抗６とともに同期信号分離用集積回路ＩＣ３に内蔵することができる。しかし、水平同期信号用のローパスフィルタＬＰＦ３を構成するコンデンサ２４は、非常に容量値が大きいので、同期信号分離用集積回路ＩＣ３のチップ面積等から限界があり、内蔵することが困難で、抵抗２３とともに外付けとなっている。
【００２９】
なお、クランプ回路ＣＲ１，ＣＲ２のスライスレベルＶｓ２，Ｖｓ１の調整は、以下のようにして行うことができる。クランプ回路ＣＲ１については、ローパスフィルタＬＰＦ１が同期信号分離用集積回路ＩＣ３に内蔵されていることから、内蔵の抵抗６の抵抗値を本来必要な値よりも小さく設定しておき、不足分を補う外付けの抵抗を結合コンデンサ４および複合映像信号入力ピン５との間に直列に設け、外付けの抵抗の抵抗値を調整することで、実現可能である。また、複合映像信号入力ピン５と電源ＶＣＣ１の間、もしくは複合映像信号入力ピン５とグラウンドの間に抵抗を挿入接続することにより見かけ上の放電電流ｉ１６を変化させることができ、これによってもスライスレベルＶｓ２，Ｖｓ１を調整することもできる。
【００３０】
クランプ回路ＣＲ２については、ローパスフィルタＬＰＦ３が外付けであるので、抵抗２３の抵抗値を調整することで、実現可能である。
【００３１】
なお、スライスレベルＶｓ２，Ｖｓ１の調整のために、ローパスフィルタＬＰＦ１，ＬＰＦ３の抵抗値を変化させても、抵抗値の変化分は小さく、スライスレベルの微調のためであり、ローパスフィルタＬＰＦ１，ＬＰＦ３のカットオフ周波数は大きくはずれないので、問題はない。
【００３２】
また、見かけ上の放電電流ｉ１６を変化させるというのは、以下に述べるようなことである。例えば、複合映像信号入力ピン５と電源ＶＣＣ１の間に抵抗を挿入すると、電流ｉが複合映像信号入力ピン５に流れ込み、コンデンサ４の放電電流は、ｉ１６−ｉとなる。ただし、電流ｉは、
ｉ＝（ＶＣＣ１−複合映像信号入力ピン５のバイアス）／挿入抵抗
で表される。
【００３３】
複合映像信号入力ピン５とグラウンドの間に抵抗を挿入接続した場合には、コンデンサ４の放電電流は、ｉ１６＋ｉとなる。
【００３４】
【発明が解決しようとする課題】
従来、テレビジョン受像機に使用する同期信号分離回路において、ノイズの影響を回避して、安定に複合映像信号から同期信号を分離するために、垂直同期信号処理用および水平同期信号処理用それぞれに同期信号分離用集積回路ＩＣ３に垂直同期信号処理用の複合映像信号入力ピン５および水平同期信号処理用の複合映像信号入力ピン２６を設け、カットオフ周波数の高いローパスフィルタＬＰＦ１は同期信号分離用集積回路ＩＣ３に内蔵するが、カットオフ周波数の低いローパスフィルタＬＰＦ３を、同期信号分離用集積回路ＩＣ３に対して外付けに構成していた。
【００３５】
しかし、この構成では、同期信号分離用集積回路ＩＣ３に対して外付けする部品が多く、周辺回路の面積が大きくなり、また、同期信号分離用集積回路ＩＣ３のピン数が多くなるという問題があった。
【００３６】
なお、カットオフ周波数の低いローパスフィルタＬＰＦ３を同期信号分離用集積回路ＩＣ３に内蔵すれば、外付け部品数も削減でき、周辺回路の省スペース化を実現でき、さらに垂直同期信号処理用と水平同期信号処理用とに別々に複合映像信号入力ピン５，２６を設ける必要がなくなり、複合映像信号入力ピンを共通化できる。しかし、カットオフ周波数の低いローパスフィルタＬＰＦ３を構成するコンデンサ２４は大容量であるので、回路基板上の占有面積が大きくなって同期信号分離用集積回路ＩＣ３が大型化するという問題があった。さらに、大容量のコンデンサ２４を同期信号分離用集積回路ＩＣ３に内蔵すると、経年的な容量抜けなどの特性劣化が生じやすくなり、同期信号分離動作を安定して行うことが困難であった。
【００３７】
また、垂直同期信号処理用と水平同期信号処理用とで複合映像信号入力ピンを共通化した場合、複合映像信号から同期信号を分離するスライスレベルを垂直同期信号処理用と水平同期信号処理用とで外部から任意に、かつ独立して調整することができなくなってしまう。
【００３８】
したがって、本発明の第１の目的は、カットオフ周波数の低い水平同期信号処理用のローパスフィルタの集積回路化が容易で、集積回路化の際に複合映像信号入力ピンを垂直同期信号処理用と水平同期信号処理用とで共通にして同期信号分離用集積回路のピン数を削減することが容易であり、さらに外付け部品を削減して周辺回路の省スペース化を実現することができる同期信号分離回路を提供することである。
【００３９】
本発明の第２の目的は、垂直同期信号処理用および水平同期信号処理用のローパスフィルタをともに集積回路に内蔵しても集積回路を小型化することができ、さらに経年的な特性の劣化が生じにくく、同期信号分離動作を安定して行うことができる同期信号分離回路を提供することである。
【００４０】
本発明の第３の目的は、集積回路に設ける複合映像信号入力ピンを垂直同期信号処理用と水平同期信号処理用とで共通にしても、複合映像信号から同期信号を分離するスライスレベルを垂直同期信号処理用と水平同期信号処理用とで外部から任意に、かつ独立して調整することができる同期信号分離回路を提供することである。
【００４１】
本発明の第４の目的は、カットオフ周波数の低い水平同期信号処理用のローパスフィルタの集積回路化が容易で、複合映像信号入力ピンを垂直同期信号処理用と水平同期信号処理用とで共通にしてピン数を削減することが容易であり、さらに外付け部品を削減して周辺回路の省スペース化を実現することができる同期信号分離用集積回路を提供することである。
【００４２】
本発明の第５の目的は、垂直同期信号処理用および水平同期信号処理用のローパスフィルタをともに内蔵しても小型化することができ、さらに経年的な特性の劣化が生じにくく、同期信号分離動作を安定して行うことができる同期信号分離用集積回路を提供することである。
【００４３】
本発明の第６の目的は、複合映像信号入力ピンを垂直同期信号処理用と水平同期信号処理用とで共通にしても、複合映像信号から同期信号を分離するスライスレベルを垂直同期信号処理用と水平同期信号処理用とで外部から任意に、かつ独立して調整することができる同期信号分離用集積回路を提供することである。
【００４４】
【課題を解決するための手段】
本発明の請求項１記載の同期信号分離回路は、複合映像信号が一端に入力される結合コンデンサと、前記結合コンデンサの他端に入力端が接続された垂直同期信号処理用の第１のローパスフィルタと、前記結合コンデンサの他端に入力端が接続された水平同期信号処理用の第２のローパスフィルタと、前記第１のローパスフィルタの出力端に現れる電圧を第１のスライスレベルでスライスすることにより垂直同期信号処理用の第１の同期信号を出力するクランプ回路と、前記第２のローパスフィルタの出力端に現れる電圧を第２のスライスレベルでスライスすることにより水平同期信号処理用の第２の同期信号を出力する電圧比較回路とを備えている。
【００４５】
この構成によれば、水平同期信号処理用には電圧比較回路で複合映像信号をスライスして同期信号を生成しているので、電圧比較回路のスライスレベルは、カットオフ周波数の低い第２のローパスフィルタを構成する抵抗の抵抗値に影響を受けず、水平同期信号処理用のローパスフィルタの抵抗の抵抗値およびコンデンサの容量を集積化に適した値に設定すること、すなわち、抵抗の抵抗値を大きめにし、コンデンサの容量を小さめにすることが可能であるので、第１および第２のローパスフィルタとクランプ回路と電圧比較回路の集積回路化が容易であり、集積回路化する際に設ける複合映像信号の入力ピンを垂直同期信号処理用と水平同期信号処理用とで共通にしてピン数を削減することが容易であり、さらに外付け部品を削減して周辺回路の省スペース化を実現することができる。
【００４６】
また、第２のローパスフィルタを構成する抵抗の抵抗値およびコンデンサの容量を集積化するのに最適に設定すること、すなわち、抵抗の抵抗値を大きく設定し、コンデンサの容量を小さく設定することが可能となるので、水平同期信号処理用の第２のローパスフィルタの集積回路上の占有面積を小さくすることができ、集積回路を小型化することができ、さらに容量抜け等の経年的な特性の劣化が生じにくく、同期信号分離動作を安定して行うことができる。なお、電圧比較回路に加わる複合映像信号はクランプ回路でクランプされているので、電圧比較回路を用いてスライスを行っても支障はない。
【００４７】
請求項２記載の同期信号分離回路は、請求項１記載の同期信号分離回路において、クランプ回路は、第１のローパスフィルタの出力端にエミッタが接続されベースに所定のクランプ電圧が加えられる第１のトランジスタと、前記第１のトランジスタのコレクタに接続された第１の抵抗と、前記第１のトランジスタのエミッタに接続された第１の電流源とからなり、前記第１のトランジスタのコレクタより垂直同期信号処理用の同期信号を取り出すようにしている。
【００４８】
また、電圧比較回路は、第２のローパスフィルタの出力端にベースが接続された第２のトランジスタと、前記第２のトランジスタのエミッタにエミッタが接続され参照電圧がベースに加えられる第３のトランジスタと、前記第３のトランジスタのコレクタに接続された第２の抵抗と、前記第２および第３のトランジスタのエミッタに接続された第２の電流源とからなり、前記第３のトランジスタのコレクタより水平同期信号処理用の同期信号を取り出すようにしている。
【００４９】
この構成によれば、請求項１の同期信号分離回路と同様に作用する。
【００５０】
請求項３記載の同期信号分離回路は、請求項２記載の同期信号分離回路において、第３のトランジスタのベースに第３の抵抗を介して参照電圧を加えるようにし、かつ前記第３のトランジスタのベースに電流値可変の制御電流発生回路を接続し、前記第３の抵抗に流す電流を調整することにより前記第３のトランジスタのベースに加えられる電圧を変化させるようにしている。
【００５１】
この構成によれば、第１のローパスフィルタの抵抗値については、集積回路における複合映像信号の入力ピンにシリアルに外付けされて第１のローパスフィルタの抵抗と直列に設けられる外付抵抗の抵抗値調整または、複合映像信号の入力ピンと電源もしくはグラウンドの間に接続される外付け抵抗の抵抗値調整によって、クランプ回路のスライスレベルの調整を行うことができる。また、制御電流発生回路から第３の抵抗に流す電流を変化させて、第３の抵抗の電圧降下を変化させることで、電圧比較回路に加える参照電圧を変化させることができる。その結果、電圧比較回路のスライスレベルの調整を行うことができる。
【００５２】
以上のように、この構成によると、集積回路化の際に設ける複合映像信号入力ピンを垂直同期信号処理用と水平同期信号処理用とで共通にしても、複合映像信号から同期信号を分離するスライスレベルを垂直同期信号処理用と水平同期信号処理用とで外部から任意に、かつ独立して調整することができる。その結果、テレビジョン受像機セット設計においては、設計裕度は広がり、ひいては、設計のし易さにつながる。
【００５３】
請求項４記載の同期信号分離用集積回路は、複合映像信号が容量結合された状態で加えられる複合映像信号入力ピンと、前記複合映像信号入力ピンに入力端が接続された垂直同期信号処理用の第１のローパスフィルタと、前記複合映像信号入力ピンに入力端が接続された水平同期信号処理用の第２のローパスフィルタと、前記第１のローパスフィルタの出力端に現れる電圧を第１のスライスレベルでスライスすることにより垂直同期信号処理用の第１の同期信号を出力するクランプ回路と、前記第２のローパスフィルタの出力端に現れる電圧を第２のスライスレベルでスライスすることにより水平同期信号処理用の第２の同期信号を出力する電圧比較回路とを備えている。
【００５４】
この構成によれば、水平同期信号処理用には電圧比較回路で複合映像信号をスライスして同期信号を生成しているので、電圧比較回路のスライスレベルは、カットオフ周波数の低い第２のローパスフィルタを構成する抵抗の抵抗値に影響を受けず、水平同期信号処理用のローパスフィルタの抵抗の抵抗値およびコンデンサの容量を集積化に適した値に設定すること、すなわち、抵抗の抵抗値を大きめにし、コンデンサの容量を小さめにすることが可能であるので、第１および第２のローパスフィルタとクランプ回路と電圧比較回路との集積回路化が容易である。その結果、集積回路化する際に設ける複合映像信号の入力ピンを垂直同期信号処理用と水平同期信号処理用とで共通にしてピン数を削減することが容易であり、さらに外付け部品を削減して周辺回路の省スペース化を実現することができる。
【００５５】
また、第２のローパスフィルタを構成する抵抗の抵抗値およびコンデンサの容量を集積化するのに最適に設定すること、すなわち、抵抗の抵抗値を大きく設定し、コンデンサの容量を小さく設定することが可能となるので、水平同期信号処理用の第２のローパスフィルタの集積回路上の占有面積を小さくすることができ、集積回路を小型化することができ、さらに容量抜け等の経年的な特性の劣化が生じにくく、同期信号分離動作を安定して行うことができる。
【００５６】
請求項５記載の同期信号分離用集積回路は、請求項４記載の同期信号分離用集積回路において、クランプ回路は、第１のローパスフィルタの出力端にエミッタが接続されベースに所定の電圧が加えられる第１のトランジスタと、前記第１のトランジスタのコレクタに接続された第１の抵抗と、前記第１のトランジスタのエミッタに接続された第１の電流源とからなり、前記第１のトランジスタのコレクタより垂直同期信号処理用の同期信号を取り出すようにしている。
【００５７】
また、電圧比較回路は、第２のローパスフィルタの出力端にベースが接続された第２のトランジスタと、前記第２のトランジスタのエミッタにエミッタが接続され参照電圧がベースに加えられる第３のトランジスタと、前記第３のトランジスタのコレクタに接続された第２の抵抗と、前記第２および第３のトランジスタのエミッタに接続された第２の電流源とからなり、前記第３のトランジスタのコレクタより水平同期信号処理用の同期信号を取り出すようにしている。
【００５８】
この構成によれば、請求項４の同期信号分離用集積回路と同様に作用する。
【００５９】
請求項６記載の同期信号分離用集積回路は、請求項５記載の同期信号分離用集積回路において、第３のトランジスタのベースに第３の抵抗を介して参照電圧を加えるようにし、かつ前記第３のトランジスタのベースに電流値可変の制御電流発生回路を接続し、前記第３の抵抗に流す電流を調整することにより前記第３のトランジスタのベースに加えられる電圧を変化させるようにしている。
【００６０】
この構成によれば、第１のローパスフィルタの抵抗値については、集積回路における複合映像信号の入力ピンにシリアルに外付けされて第１のローパスフィルタの抵抗と直列に設けられる外付抵抗の抵抗値調整または、複合映像信号の入力ピンと電源もしくはグラウンドの間に接続される外付け抵抗の抵抗値調整によって、クランプ回路のスライスレベルの調整を行うことができる。また、制御電流発生回路から第３の抵抗に流す電流を変化させて、第３の抵抗の電圧降下を変化させることで、電圧比較回路に加える参照電圧を変化させることができる。その結果、電圧比較回路のスライスレベルの調整を行うことができる。
【００６１】
以上のように、この構成によると、集積回路化の際に設ける複合映像信号入力ピンを垂直同期信号処理用と水平同期信号処理用とで共通にしても、複合映像信号から同期信号を分離するスライスレベルを垂直同期信号処理用と水平同期信号処理用とで外部から任意に、かつ独立して調整することができる。その結果、テレビジョン受像機セット設計においては、設計裕度は広がり、ひいては、設計のし易さにつながる。
【００６２】
【発明の実施の形態】
以下、本発明の実施の形態について、図面を参照しながら、説明する。
【００６３】
（第１の実施の形態）
図１は本発明に係る同期信号分離回路の第１の実施の形態の構成を示す回路図である。図２は図１の要部の信号の波形を示す信号波形図である。図２において、記号（ａ）〜（ｃ）の各信号は、図１上の記号（ａ）〜（ｃ）を付した部分の信号について、横軸を時間にとり縦軸を電圧をとって示している。図１において、図４と同一の機能をもつ部分には図４と同一番号を付し、同一の信号には同一の記号を付した。
【００６４】
この同期信号分離回路は、図１に示すように、複合映像信号入力端子１にＮＰＮトランジスタ（以下、単にトランジスタと記す）２のベースが接続され、トランジスタ２のコレクタに電源電圧ＶＣＣ１が印加され、トランジスタ２のエミッタが電流源３を介して接地されている。上記のトランジスタ２および電流源３はエミッタフォロワ回路を構成している。
【００６５】
トランジスタ２のエミッタは、結合コンデンサ４を介して、同期信号分離用集積回路ＩＣ１の複合映像信号入力ピン５に接続されている。ここで、複合映像信号入力ピン５は、同期信号分離用集積回路ＩＣ１においてパッケージのピンと定義される。
【００６６】
同期信号分離用集積回路ＩＣ１は、複合映像信号入力ピン５が垂直同期信号処理用のローパスフィルタＬＰＦ１を介してクランプ回路ＣＲ１に接続され、また複合映像信号入力ピン５が水平同期信号処理用のローパスフィルタＬＰＦ２を介して電圧比較回路ＣＰに接続されている。
【００６７】
垂直同期信号処理用のローパスフィルタＬＰＦ１は同期信号分離用集積回路ＩＣ１に内蔵された抵抗６およびコンデンサ８で構成されている。また、水平同期信号処理用のローパスフィルタＬＰＦ２は同期信号分離用集積回路ＩＣ１に内蔵された抵抗７およびコンデンサ９で構成されている。
【００６８】
クランプ回路ＣＲ１は、クランプ用のトランジスタ１５のコレクタに抵抗１４を介して電源電圧ＶＣＣ２が印加され、ベースがクランプ電圧入力端子２０に接続され、エミッタが電流源１６を介して接地され、トランジスタ１５のエミッタにローパスフィルタＬＰＦ１の出力端が接続され、トランジスタ１５のコレクタに垂直同期信号処理用の同期信号出力端子１９が接続されている。
【００６９】
電圧比較回路ＣＰは、トランジスタ１０，１１のエミッタが共通接続されて電流源１２を介して接地されている。また、トランジスタ１０のコレクタに電源電圧ＶＣＣ２が印加され、トランジスタ１１のコレクタに抵抗１３を介して電源電圧ＶＣＣ２が印加されている。そして、トランジスタ１０のベースにローパスフィルタＬＰＦ２の出力端が接続され、トランジスタ１１のベースに抵抗１７を介して参照電圧入力端子２１が接続され、トランジスタ１１のコレクタに水平同期信号処理用の同期信号出力端子１８が接続されている。
【００７０】
以上のような構成の同期信号分離回路の動作を図２を参照しながら以下に説明する。
【００７１】
図１において、複合映像信号入力端子１から複合映像信号が入力されると、この複合映像信号は、トランジスタ２を経た後、結合コンデンサ４を経て複合映像信号入力ピン５に送られる。
【００７２】
さらに、複合映像信号は、複合映像信号入力ピン５から、ローパスフィルタＬＰＦ１を経てクランプ回路ＣＲ１へ送られ、同時に複合映像信号入力ピン５からローパスフィルタＬＰＦ２を介して電圧比較回路ＣＰへ送られる。
【００７３】
クランプ回路ＣＲ１は、複合映像信号入力ピン５に現れる複合映像信号（図２（ａ））における同期の尖頭値をトランジスタ１５のエミッタ電位にクランプする機能を有しており、クランプ動作に伴う複合映像信号のスライス動作によって垂直同期信号処理用の同期信号を出力する。
【００７４】
クランプ回路ＣＲ１におけるスライスレベルＶｓ１は、実質的に複合映像信号の同期の尖頭値を基準にして、それより所定電圧だけ高い電圧になる。すなわち、スライスレベルＶｓ１は、複合映像信号入力ピン５に現れる複合映像信号の同期の尖頭値の電位に比べて、ローパスフィルタＬＰＦ１の抵抗６に電流源１６の電流が流れることによる電圧降下分だけ高い値となる。なお、電流源１６の電流は十分に小さく設定されているので、結合コンデンサ４の映像信号期間中の放電はごく少ないので、ここでは映像信号期間中の結合コンデンサ４の電圧変化分（サグ）は無視して考えている。
【００７５】
電圧比較回路ＣＰは、複合映像信号入力ピン５に現れる複合映像信号（図２（ａ））を参照電圧Ｖｒｅｆとを比較することにより水平同期信号処理用の同期信号を出力する。なお、上記の参照電圧Ｖｒｅｆ、すなわち電圧比較回路ＣＰのスライスレベルは、クランプ回路ＣＲ１のトランジスタ１５のエミッタ電圧より少し高い電圧に設定される。
【００７６】
ここで、クランプ回路ＣＲ１の動作について詳しく説明する。クランプ電圧入力端子２０より所定のクランプ電圧が印加されることにより、このクランプ電圧よりトランジスタ１５のベース・エミッタ間電圧ＶＢＥだけ低い電圧がトランジスタ１５のエミッタ電圧となる。
【００７７】
複合映像信号入力端子１に正極性の複合映像信号を加えると、複合映像信号が正から負になる同期の部分でトランジスタ１５のエミッタに逆バイアスが加わらなくなるので、トランジスタ１５はオンになり、トランジスタ１５のコレクタ電圧は抵抗１４により下がると同時に、結合コンデンサ４を流れる電流Δｉ４によって結合コンデンサ４が瞬時に同期の尖頭値まで充電される。その結果、複合映像信号入力ピン５に加わる複合映像信号の同期の部分の尖頭値がトランジスタ１５のエミッタ電位にクランプされることになる。
【００７８】
逆に、複合映像信号が負から正になる同期の部分ではトランジスタ１５に逆バイアスが加わるようになるので、トランジスタ１５はオフになり、トランジスタ１５のコレクタ電圧は、電源電圧ＶＣＣ２にほぼ等しい電圧値になる。トランジスタ１５がオフの状態では、電流源１６の電流ｉ１６が結合コンデンサ４およびローパスフィルタＬＰＦ１の抵抗６を通して流れることになるが、その電流値はごく小さいため、結合コンデンサ４の放電はごく少なく、サグはほとんど生じない。
【００７９】
なお、電流ｉ１６が流れることによって、抵抗６には電圧降下が生じるので、複合映像信号入力ピン５に加わる複合映像信号のスライスレベルは、複合映像信号を基準にすると、同期の尖頭値よりも抵抗６の電圧降下分だけ高い電圧となる。
【００８０】
したがって、出力端子１９に現れる出力波形は複合映像信号から同期信号が分離されたものとなる。
【００８１】
つぎに、電圧比較回路ＣＰの動作について説明する。この電圧比較回路ＣＰは、複合映像信号入力ピン５に加わる複合映像信号と参照電圧Ｖｒｅｆ（図２の（ｂ））とを比較することにより、複合映像信号入力ピン５に加わる複合映像信号が参照電圧Ｖｒｅｆより低いときにトランジスタ１１がオンとなってトランジスタ１１のコレクタ電圧が抵抗１３により下がる。また、複合映像信号入力ピン５に加わる複合映像信号が参照電圧Ｖｒｅｆより高いときにトランジスタ１１がオフとなってトランジスタ１１のコレクタ電圧が電源電圧ＶＣＣ２にほぼ等しくなる。以上のような動作により、図２において（ｃ）に示すような同期信号が生成され、同期信号出力端子１８より出力される。
【００８２】
ところで、同期信号分離用集積回路ＩＣ１の複合映像信号入力ピン５に入力された複合映像信号は、トランジスタ１５のエミッタにより、同期の先頭値が従来例と同様にクランプされているので、トランジスタ２のベースに加えられる入力信号（複合映像信号）によらずいつも一定の電圧にある。
【００８３】
よって、参照電圧Ｖｒｅｆをトランジスタ１５のエミッタ電圧よりすこし高めに設定しておけば、入力端子１に正極性の複合映像信号（ａ）を加えると、複合映像信号が正から負になる同期の部分でトランジスタ１０はオフになり、トランジスタ１１はオンになり、前記トランジスタ１１のコレクタ電圧は抵抗１３により下がる。逆に入力信号が複合映像信号の負から正になる同期の部分では、前記トランジスタ１１はオフになり、トランジスタ１１のコレクタ電圧は、ほぼＶＣＣ２の電圧値になる。したがって、入出力波形は図（ｄ）に示すようになり、複合映像信号（ａ）から同期信号が分離され、出力端子１８から出力される。
【００８４】
なお、参照電圧Ｖｒｅｆは、例えば以下のように設定される。２Ｖp-p の映像信号の場合は、同期信号は、２Ｖ×４０／１４０＝０．５７Ｖとなり、スライスレベルは、同期信号の２０％程度とすると、０．５７×０．２＝０．１１Ｖとなる。０．５７Ｖのセンターは０．２８５Ｖであるので、±０．３Ｖ可変しようとすると、約０．２Ｖ程度高めに設定すればよい。この設定は、スライスレベルを制御電流発生回路によって可変する際に、可変範囲をプラスマイナスで均等にしようとする場合を想定しているからである。制御電流発生回路（後述）を用いない場合には、上記のようにトランジスタ１５のエミッタ電圧よりすこし高めに設定する必要はなく、同じであってもよい。
【００８５】
ここで、水平同期信号処理用のローパスフィルタＬＰＦ２について説明する。水平の同期の特性を満足するようにローパスフィルタＬＰＦ２のカットオフ周波数が決まってくる以上、ローパスフィルタＬＰＦ２を構成する抵抗７とコンデンサ９の大きさも決まってくる。しかしながら、同期分離のスライスレベルＶｓは基準電圧Ｖｒｅｆのみで決まっており、ローパスフィルタＬＰＦ２を構成する抵抗７の抵抗値には依存しないので、ローパスフィルタＬＰＦ２のカットオフ周波数のみ合うように任意に抵抗７の抵抗値とコンデンサ９の容量値は選ぶことができる。よって、比較的抵抗値を大きく、そして容量値は数十ｐＦ程度に決めることができる。
【００８６】
この程度の容量値のコンデンサ９は、無理なく同期信号分離用集積回路ＩＣ１に内蔵することができるので、コスト低減および周辺回路の省スペース化に寄与することができる。
【００８７】
以上のように、この実施の形態によれば、水平同期信号処理用には電圧比較回路ＣＰで複合映像信号をスライスして同期信号を生成しているので、電圧比較回路ＣＰのスライスレベルは、カットオフ周波数の低い第２のローパスフィルタＬＰＦ２を構成する抵抗７の抵抗値に影響を受けず、水平同期信号処理用のローパスフィルタＬＰＦ２の抵抗７の抵抗値およびコンデンサ９の容量を集積化に適した値に設定すること、すなわち、抵抗７の抵抗値を大きめにし、コンデンサ９の容量を小さめにすることが可能であるので、第１および第２のローパスフィルタＬＰＦ１，ＬＰＦ２とクランプ回路ＣＲ１と電圧比較回路ＣＰとの集積回路化が容易である。その結果、第１および第２のローパスフィルタＬＰＦ１，ＬＰＦ２とクランプ回路ＣＲ１と電圧比較回路ＣＰとを集積回路化しているので、集積回路化する際に設ける複合映像信号入力ピン５を垂直同期信号処理用と水平同期信号処理用とで共通にしてピン数を削減することが容易であり、さらに外付け部品を削減して周辺回路の省スペース化を実現することができる。
【００８８】
また、カットオフ周波数の高い垂直同期信号処理用の第１のローパスフィルタＬＰＦ１の出力端に現れる電圧は従来同様にクランプ回路ＣＲ１でスライスし、カットオフ周波数の低い水平同期信号処理用の第２のローパスフィルタＬＰＦ２の出力端に現れる電圧は電圧比較回路ＣＰによってスライスする構成であり、電圧比較回路ＣＰのスライスレベルは、第２のローパスフィルタＬＰＦ２を構成する抵抗７の抵抗値に影響を受けない。したがって、第２のローパスフィルタＬＰＦ２を構成する抵抗７の抵抗値およびコンデンサ９の容量を集積化するのに最適に設定すること、すなわち、抵抗７の抵抗値を大きく設定し、コンデンサ９の容量を小さく設定することが可能となる。その結果、水平同期信号処理用の第２のローパスフィルタＬＰＦ２の同期信号分離用集積回路ＩＣ１上の占有面積を小さくすることができ、同期信号分離用集積回路ＩＣ１を小型化することができ、さらに容量抜け等の経年的な特性の劣化が生じにくく、同期信号分離動作を安定して行うことができる。なお、電圧比較回路ＣＰに加わる複合映像信号はクランプ回路ＣＲ１でクランプされているので、電圧比較回路ＣＰを用いてスライスを行っても支障はない。
【００８９】
（第２の実施の形態）
図３は本発明に係る同期信号分離回路の第２の実施の形態の構成を示す回路図である。図１と同一の機能をもつ部分には図１と同一番号を付し、同一の信号には同一の記号を付した。
【００９０】
この実施の形態の同期信号分離回路は、トランジスタ１１のベースと抵抗１７の接続点に制御電流発生回路２２を付設した同期信号分離用集積回路ＩＣ２を用い、抵抗１７に対して電流の出し入れを行うことによって、電圧比較回路ＣＰを構成する一方のトランジスタ１１のベースに入力される参照電圧Ｖｒｅｆを任意に可変することができようにしている。つまり、制御電流発生回路２２に電流が流れなければ、参照電圧入力端子２１に加えられる電圧がそのまま参照電圧Ｖｒｅｆとなる。しかし、制御電流発生回路２２から抵抗１７に電流を流し込んだり、あるい引き抜いたりすると、抵抗１７に正または負の電圧降下が生じ、参照電圧入力端子２１に加えられる電圧に抵抗１７の電圧降下分を加えた電圧、あるいは参照電圧入力端子２１に加えられる電圧から抵抗１７の電圧降下分を差し引いた電圧が参照電圧Ｖｒｅｆとなり、抵抗１７に流す電流を調整することで、参照電圧Ｖｒｅｆを調整することができる。
【００９１】
つまり、複合映像信号から水平同期信号処理に用いる同期信号を分離するスライスレベルを任意に設定できることになる。
【００９２】
また、垂直同期信号処理に用いる同期信号を分離するスライスレベルＶｓ１については、抵抗６と放電電流ｉ１６で決まるので、従来例と同様に調整することができる。その調整手法は以下に述べる通りである。あらかじめ、同期信号分離用集積回路ＩＣ２に内蔵している抵抗６の抵抗値を本来必要な値より小さく設定しておき、同期信号分離用集積回路ＩＣ２の複合映像信号入力ピン５と外付けの結合コンデンサ４との間に外付けの抵抗をシリーズに挿入することにより、みかけ上抵抗６の抵抗値を自由に可変でき、これによって、スライスレベルＶｓ１を調整する。あるいは、複合映像信号入力ピン５とグラウンド間もしくは、複合映像信号入力ピン５と電源（ＶＣＣ１）間のどちらかに抵抗を挿入することにより、見かけ上放電電流ｉ１６を可変し、これによってスライスレベルＶｓ１を調整する。
【００９３】
このことは、集積回路の複合映像信号の入力端子が１ピンにもかかわらず同期性能を水平と垂直それぞれ別個に設定できることである。
【００９４】
以上のように、この実施の形態によれば、集積回路化の際に設ける複合映像信号入力ピンを垂直同期信号処理用と水平同期信号処理用とで共通にしても、複合映像信号から同期信号を分離するスライスレベルを垂直同期信号処理用と水平同期信号処理用とで外部から任意に、かつ独立して調整することができる。その結果、テレビジョン受像機セット設計においては、設計裕度は広がり、ひいては、設計のし易さにつながる。
【００９５】
【発明の効果】
本発明の請求項１または２記載の同期信号分離回路によれば、水平同期信号処理用には電圧比較回路で複合映像信号をスライスして同期信号を生成しているので、電圧比較回路のスライスレベルは、カットオフ周波数の低い第２のローパスフィルタを構成する抵抗の抵抗値に影響を受けず、水平同期信号処理用のローパスフィルタの抵抗の抵抗値およびコンデンサの容量を集積化に適した値に設定すること、すなわち、抵抗の抵抗値を大きめにし、コンデンサ容量を小さめにすることが可能であるので、第１および第２のローパスフィルタとクランプ回路と電圧比較回路との集積回路化が容易である。その結果、集積回路化する際に設ける複合映像信号の入力ピンを垂直同期信号処理用と水平同期信号処理用とで共通にしてピン数を削減することが容易であり、さらに外付け部品を削減して周辺回路の省スペース化を実現することができる。
【００９６】
また、第２のローパスフィルタを構成する抵抗の抵抗値およびコンデンサの容量を集積化するのに最適に設定すること、すなわち、抵抗の抵抗値を大きく設定し、コンデンサの容量を小さく設定することが可能となるので、水平同期信号処理用の第２のローパスフィルタの集積回路上の占有面積を小さくすることができ、集積回路を小型化することができ、さらに容量抜け等の経年的な特性の劣化が生じにくく、同期信号分離動作を安定して行うことができる。
【００９７】
本発明の請求項３記載の同期信号分離回路によれば、集積回路化の際に設ける複合映像信号入力ピンを垂直同期信号処理用と水平同期信号処理用とで共通にしても、複合映像信号から同期信号を分離するスライスレベルを垂直同期信号処理用と水平同期信号処理用とで外部から任意に、かつ独立して調整することができる。その結果、テレビジョン受像機セット設計においては、設計裕度は広がり、ひいては、設計のし易さにつながる。
【００９８】
本発明の請求項４または５記載の同期信号分離用集積回路によれば、水平同期信号処理用には電圧比較回路で複合映像信号をスライスして同期信号を生成しているので、電圧比較回路のスライスレベルは、カットオフ周波数の低い第２のローパスフィルタを構成する抵抗の抵抗値に影響を受けず、水平同期信号処理用のローパスフィルタの抵抗の抵抗値およびコンデンサの容量を集積化に適した値に設定すること、すなわち、抵抗の抵抗値を大きめにし、コンデンサ容量を小さめにすることが可能であるので、第１および第２のローパスフィルタとクランプ回路と電圧比較回路との集積回路化が容易である。その結果、集積回路化する際に設ける複合映像信号の入力ピンを垂直同期信号処理用と水平同期信号処理用とで共通にしてピン数を削減することが容易であり、さらに外付け部品を削減して周辺回路の省スペース化を実現することができる。
【００９９】
また、第２のローパスフィルタを構成する抵抗の抵抗値およびコンデンサの容量を集積化するのに最適に設定すること、すなわち、抵抗の抵抗値を大きく設定し、コンデンサの容量を小さく設定することが可能となるので、水平同期信号処理用の第２のローパスフィルタの集積回路上の占有面積を小さくすることができ、集積回路を小型化することができ、さらに容量抜け等の経年的な特性の劣化が生じにくく、同期信号分離動作を安定して行うことができる。
【０１００】
本発明の請求項６記載の同期信号分離用集積回路によれば、集積回路化の際に設ける複合映像信号入力ピンを垂直同期信号処理用と水平同期信号処理用とで共通にしても、複合映像信号から同期信号を分離するスライスレベルを垂直同期信号処理用と水平同期信号処理用とで外部から任意に、かつ独立して調整することができる。その結果、テレビジョン受像機セット設計においては、設計裕度は広がり、ひいては、設計のし易さにつながる。
【図面の簡単な説明】
【図１】本発明による同期信号分離回路の第１の実施の形態の構成を示す回路図である。
【図２】図１の同期信号分離回路の動作を説明するための波形図である。
【図３】本発明による同期信号分離回路の第２の実施の形態の構成を示す回路図である。
【図４】従来の同期信号分離回路の構成を示す回路図である。
【図５】図４の同期信号分離回路の動作を説明するための波形図である。
【符号の説明】
１    複合映像信号入力端子
２    トランジスタ
３，１２，１６，２８    定電流回路
４，２５    結合コンデンサ
５，２６    複合映像信号入力ピン
６，７，２３    抵抗
８，９，２４    コンデンサ
１０，１１    トランジスタ
１３，１４，１７，２９    抵抗
１５，２７    トランジスタ
１８    同期信号出力端子
１９    同期信号出力端子
２０，３０    クランプ電圧入力端子
２１    参照電圧入力端子
２２    制御電流発生回路
ＬＰＦ１，ＬＰＦ２，ＬＰＦ３    ローパスフィルタ
ＣＲ１，ＣＲ２    クランプ回路
ＣＰ    電圧比較回路
【図１】
0003998902.tif 000002
【図２】
0003998902.tif 000003
【図３】
0003998902.tif 000004
【図４】
0003998902.tif 000005
【図５】
0003998902.tif 000006